(57)【要約】      （修正有）【課題】取外し及び取付けが簡単な落下防止具を提供する。【解決手段】前方向（物品の出し入れ方向）が開口された物品棚（ア）を備えてなる物品収納設備（Ｉ）における物品(イ)の落下防止具（ＩＩ）であって、該物品棚の前方向に設置され、物品が棚から落下するのを防止する落下防止バー（Ａ）、物品を棚から出し入れする際には落下防止バー（Ａ）が邪魔にならない位置に移動できると共に物品を収納させておく際には物品が棚から落下するのを防止できる位置に移動できるように、上下操作が可能な制御機構（Ｂ）を設置してなることを特徴とする物品の落下防止具。【選択図】図１
0003116901.tif 000002
【実用新案登録請求の範囲】
【請求項１】
前方向（物品の出し入れ方向）が開口された物品棚（ア）を備えてなる物品収納設備（Ｉ）における物品(イ)の落下防止具（ＩＩ）であって、
該物品棚の前方向に設置され、物品が棚から落下するのを防止する落下防止バー（Ａ）、物品を棚から出し入れする際には落下防止バー（Ａ）が邪魔にならない位置に移動できると共に物品を収納させておく際には物品が棚から落下するのを防止できる位置に移動できるように、上下操作が可能な制御機構（Ｂ）を設置してなることを特徴とする物品の落下防止具。
【請求項２】
制御機構（Ｂ）は、
１、落下防止バー（Ａ）の一端に設置された滑車（ａ）、物品の落下防止具を構成する骨組みの立設したアングル部材（ｂ）に設置され落下防止バー（Ａ）よりも上方向に設置された滑車（ｃ）及びアングル部材（ｂ）に設置され、落下防止バー（Ａ）よりも上方向になるように設置されたワイヤー固定具（ｄ）で構成される制御装置（１）、
２、ワイヤー（ｅ）の一端が該ワイヤー固定具（ｄ）に固定され、他端が滑車（ａ）及び滑車（ｃ）を通して移動可能なカウンターウエイト（ｆ）に固定される制御装置（２）、
３、落下防止バー（Ａ）の滑車（ａ）と同じ方向に設置され、滑車（ａ）よりも下方向に設置された滑車（ｇ）、落下防止バー（Ａ）の滑車（ａ）と反対方向に設置された滑車（ｈ）、アングル部材（ｂ）に設置され滑車（ｇ）よりも下方向になるように設置されたワイヤー固定具（ｉ）及びアングル部材（ｂ）に対向する立設したアングル部材（ｊ）に設置され滑車（ｈ）よりも上方向になるように設置されたワイヤー固定具（ｋ）で構成される制御装置（３）及び
４、ワイヤー（ｌ）の一端がワイヤー固定具（ｋ）に固定され、他端が滑車（ｈ）及び滑車（ｇ）を通してワイヤー固定具（ｉ）に固定される制御装置（４）
により、カウンターウエイトを上方向に押し上げることにより落下防止バー（Ａ）が下方向に移動し、逆にカウンターウエイトを下部の押し下げることにより落下防止バー（Ａ）が上方向に移動することにより上下操作を制御する請求項１に記載の物品の落下防止具。
【請求項３】
制御機構（Ｂ）は、
１、落下防止バー（Ａ）の一端に設置された滑車（ｍ）、物品の落下防止具を構成する骨組みの立設したアングル部材（ｂ）に設置され落下防止バー（Ａ）よりも上方向に設置された滑車（ｃ）、落下防止バー（Ａ）の滑車（ｍ）と反対方向に設置された滑車（ｎ）、アングル部材（ｂ）に対向する立設したアングル部材（ｊ）に設置され落下防止バー（Ａ）よりも上方向になるように設置された滑車（ｐ）、落下防止バー（Ａ）に設置されたワイヤー固定具（ｑ）で構成される制御装置（５）、
２、ワイヤー（ｒ）の一端がワイヤー固定具（ｑ）に固定され、他端が滑車（ｐ）、滑車（ｎ）、滑車（ｍ）及び滑車（ｃ）を通して移動可能なカウンターウエイト（ｆ）に固定される制御装置（６）
により、カウンターウエイトを上方向に押し上げることにより落下防止バー（Ａ）が下方向に移動し、逆にカウンターウエイトを下部の押し下げることにより落下防止バー（Ａ）が上方向に移動することにより上下操作を制御する請求項１に記載の物品の落下防止具。
【請求項４】
落下防止バーの重さとカウンターウエイトの重さを少ない力で落下防止バーが上下するように調整してなる請求項１〜３のいずれかに記載の物品の落下防止具。
【請求項５】
請求項１〜４の何れかに記載の物品の落下防止具を設置してなることを特徴とする落下防止付き物品収納設備。
【考案の詳細な説明】
【技術分野】
【０００１】
本考案は、容器の落下防止具及び落下防止付き物品収納設備に関するものである。
【背景技術】
【０００２】
従来、塗料、接着剤、インキ等で使用される原料やその製品等は容器に充填したものを４隅に立設した支柱間に棚板を架設してなる物品棚に積載し、使用されるまで収納（格納、貯蔵等）されている。
【０００３】
このような物品棚は、通常、前部が開口しており、この開口部から物品の出し入れが行われる。
【０００４】
しかしながら、物品棚に積載された容器は振動や衝撃等により棚から落下して容器が破損し内容物が流出して火災や環境汚染等の原因となる恐れがあるので、通常、何らかの方法で落下防止が施されている。
【０００５】
このような物品の落下を防止する方法として、前部の２本の支柱間にワイヤーロープを張設したり、両端部のみが折り曲げられた転落防止棒を２本の支柱に設けられた孔部に差し込んで固着させる物品棚の積載物転落防止装置（特許文献１）が公知である。
【０００６】
特許文献１に記載の装置は、該装置を構成する転落防止棒の折り曲げ部を孔部に差し込んで固定ないし取付けたり、転落防止棒を取外したりするといった作業が面倒であり、また取外した転落防止棒が邪魔となり危険であるといった問題があった。
【０００７】
【特許文献１】実開平６−６２８４９号公報
【考案の開示】
【考案が解決しようとする課題】
【０００８】
解決しようとする問題点は、転落防止柵の取付け及び取外しが難しいこと、取外した転落防止柵が邪魔になるといった点である。
【課題を解決するための手段】
【０００９】
本考案の物品の落下防止具は、前方向（物品の出し入れ方向）が開口された物品棚（ア）を備えてなる物品収納設備（Ｉ）における物品(イ)の落下防止具（ＩＩ）であって、該物品棚の前方向に設置され、物品が棚から落下するのを防止する落下防止バー（Ａ）、物品を棚から出し入れする際には落下防止バー（Ａ）が邪魔にならない位置に移動できると共に物品を収納させておく際には物品が棚から落下するのを防止できる位置に移動できるように、上下操作が可能な制御機構（Ｂ）を設置してなることを最も主要な特徴とする。
【００１０】
本考案の物品の落下防止具は、制御機構（Ｂ）は、
１、落下防止バー（Ａ）の一端に設置された滑車（ａ）、物品の落下防止具を構成する骨組みの立設したアングル部材（ｂ）に設置され落下防止バー（Ａ）よりも上方向に設置された滑車（ｃ）及びアングル部材（ｂ）に設置され、落下防止バー（Ａ）よりも上方向になるように設置されたワイヤー固定具（ｄ）で構成される制御装置（１）、
２、ワイヤー（ｅ）の一端が該ワイヤー固定具（ｄ）に固定され、他端が滑車（ａ）及び滑車（ｃ）を通して移動可能なカウンターウエイト（ｆ）に固定される制御装置（２）、
３、落下防止バー（Ａ）の滑車（ａ）と同じ方向に設置され、滑車（ａ）よりも下方向に設置された滑車（ｇ）、落下防止バー（Ａ）の滑車（ａ）と反対方向に設置された滑車（ｈ）、アングル部材（ｂ）に設置され滑車（ｇ）よりも下方向になるように設置されたワイヤー固定具（ｉ）及びアングル部材（ｂ）に対向する立設したアングル部材（ｊ）に設置され滑車（ｈ）よりも上方向になるように設置されたワイヤー固定具（ｋ）で構成される制御装置（３）及び
４、ワイヤー（ｌ）の一端がワイヤー固定具（ｋ）に固定され、他端が滑車（ｈ）及び滑車（ｇ）を通してワイヤー固定具（ｉ）に固定される制御装置（４）
により、カウンターウエイトを上方向に押し上げることにより落下防止バー（Ａ）が下方向に移動し、逆にカウンターウエイトを下部の押し下げることにより落下防止バー（Ａ）が上方向に移動することにより上下操作を制御する。
本考案の物品の落下防止具は、制御機構（Ｂ）は、
１、落下防止バー（Ａ）の一端に設置された滑車（ｍ）、物品の落下防止具を構成する骨組みの立設したアングル部材（ｂ）に設置され落下防止バー（Ａ）よりも上方向に設置された滑車（ｃ）、落下防止バー（Ａ）の滑車（ｍ）と反対方向に設置された滑車（ｎ）、アングル部材（ｂ）に対向する立設したアングル部材（ｊ）に設置され落下防止バー（Ａ）よりも上方向になるように設置された滑車（ｐ）、落下防止バー（Ａ）に設置されたワイヤー固定具（ｑ）で構成される制御装置（５）、
２、ワイヤー（ｒ）の一端がワイヤー固定具（ｑ）に固定され、他端が滑車（ｐ）、滑車（ｎ）、滑車（ｍ）及び滑車（ｃ）を通して移動可能なカウンターウエイト（ｆ）に固定される制御装置（６）
により、カウンターウエイトを上方向に押し上げることにより落下防止バー（Ａ）が下方向に移動し、逆にカウンターウエイトを下部の押し下げることにより落下防止バー（Ａ）が上方向に移動することにより上下操作を制御することを最も重要な特徴とする。
本考案に係わる落下防止具は、落下防止バーの重さとカウンターウエイトの重さを少ない力で落下防止バーが上下するように調整してなる。
本考案の落下防止付き物品収納設備は、上記の何れかに記載の物品の落下防止具を設置してなることを最も重要な特徴とする。
【考案の効果】
【００１１】
本考案の物品の落下防止具は、特定構造を有する、落下防止バー（Ａ）と制御機構（Ｂ）との組合わせにより、落下防止バーの開閉の作業が容易であり落下防止バーによる重さが作業者に直接掛からないので開閉の作業による負担が少ないこと、落下防止バーとしてチェーンを使用した場合には取外したチェーンが邪魔になるが取外し作業が全くないので邪魔にならない、物品棚が２段以上であっても、物品棚ごとに本考案の物品の落下防止具を取付けることにより落下防止バーの開閉の作業を簡単に行える、落下防止バーの重さとカウンターウエイトの重さを調整（少ない力で落下防止バーが上下するように調整）することにより、少ない力で落下防止バーの開閉が行える、従来から使用されている四隅に立設された物品収納棚をそのままにして、前部の２本の支柱間に本考案の落下防止具を設置することにより物品棚の積載物転落防止が行えるといった利点がある。
【考案を実施するための最良の形態】
【００１２】
落下防止バーの開閉作業が容易であり、開閉に要する力、取外したバーが邪魔にならないようにするために、最小の部品数で落下防止効果を損なわずに実現した。
【実施例１】
【００１３】
図１は、本考案の落下防止具が適用される四隅に立設された物品収納棚の正面概略図である。図２は、図１の物品収納棚の前部の２本の支柱間に本考案の落下防止具を設置した正面概略図である。図３は、請求項１、２に記載に１実施例であって、図２において、物品収納棚を除いた本考案の落下防止具を示す正面概略図である。図４は、制御機構を分かり易くするための正面概略図である。図５は、図４において、落下防止バーの位置を下方向に移動させた正面概略図である。図６は、請求項３に記載に１実施例であって、図４と同様に制御機構を分かり易くするための正面概略図である。
【００１４】
図１は、四隅に立設され、前方向（物品の出し入れ方向）が開口された物品棚（ア）を３段有する物品棚（ア）の上にパレットに塗料が充填されたドラム缶（イ）を積載した従来から使用されている物品収納設備（Ｉ）を示す。
【００１５】
物品収納設備（Ｉ）の前部の２本の支柱間に本考案の落下防止具（ＩＩ）を設置したものを図２に示す。図２は、ドラム缶が落下しないように落下防止バー（Ａ）がドラム缶の前部に下から上方向に移動させた時の静止状態を示す。
【００１６】
図３は、図２において、四隅に立設された物品収納棚を取除いた本考案の落下防止具（ＩＩ）部分のみを示すものである。
【００１７】
図３〜図５は、３段式の物品収納設備（Ｉ）において、下から２段目及び３段目のものについて示したものである。また、図３〜図５において、下から２段目と３段目は同じ構造とすることができるので詳細な説明は重複するので省略して下から３段目のものについてのみ説明する。尚、下から２段目のものに相当する３段目の部分は、´を用いた同符号で示した。
【００１８】
落下防止バー（Ａ）は、物品を棚から出し入れする際に落下防止バー（Ａ）が邪魔にならない位置に移動できると共に物品を収納させておく際には物品が棚から落下するのを防止できる位置に制御機構（Ｂ）で上下に制御できる。
【００１９】
制御機構（Ｂ）は、制御装置（１）、（２）、（３）及び（４）によりカウンターウエイト（ｆ）を上方向に押し上げることにより落下防止バー（Ａ）が下に移動し、逆にカウンターウエイトを下方向に押し下げることにより落下防止バー（Ａ）を上に制御できる。
【００２０】
制御装置（１）は、落下防止バー（Ａ）の一端に設置された滑車（ａ）、物品の落下防止具を構成する骨組みの立設したアングル部材（ｂ）に設置され落下防止バー（Ａ）よりも上方向に設置された滑車（ｃ）及びアングル部材（ｂ）に設置され、落下防止バー（Ａ）よりも上方向になるように設置されたワイヤー固定具（ｄ）で構成される。
【００２１】
制御装置（１）は、制御装置（２）を案内するものであって制御装置（２）と組合わせて使用される。滑車（ｃ）は、カウンターウエイト（ｆ）により落下防止バー（Ａ）を少ない力で上方向に引き上げることができる。滑車（ａ）はカウンターウエイト（ｆ）による力を落下防止バー（Ａ）に伝え、落下防止バー（Ａ）を上下方向に移動させることができる。
【００２２】
制御装置（３）は、制御装置（４）を案内するものであって制御装置（４）と組合わせて使用される。制御装置（３）及び制御装置（４）は、制御装置（１）及び制御装置（２）により上に移動した際に落下防止バー（Ａ）が右に傾くので、その傾いた落下防止バー（Ａ）の右部を上に持ち上げることにより自動的に上下の張りを調節して落下防止バー（Ａ）の左右の傾きを自動的に調整する張調整機能を有する。
【００２３】
また、逆に制御装置（１）及び制御装置（２）により下に移動した際に落下防止バー（Ａ）が左に傾くので、その傾いた落下防止バー（Ａ）の右部を下に押し下げることにより自動的に上下の張りを調節して落下防止バー（Ａ）の左右の傾きを自動的に調整する張調整機能を有する。
【００２４】
アングル部材（ｂ）及び（ｊ）は内部が空洞となった鉄、鋼、ステンレスなどの金属でできた１本以上の四角柱を使用することが好ましい。空洞の四角柱を使用することにより、制御装置（１）〜（４）を内部に隠すことができ意匠性及び安全性の点で優れる。図３において、太い実線は表面を示し、細線は内部を示す。即ち、正面からはアングル部材（ｂ）、（ｊ）及び落下防止バー（Ａ）の外観しか見えない。
【００２５】
また、落下防止バー（Ａ）として、四角柱を使用すれば内部にワイヤーを通して、ワイヤーを隠すことができるので意匠性及び安全性が向上する。
【００２６】
図４は、アングル部材を取除いた残りの制御機構（１）〜（４）のみを示す。図４は、カウンターウエイト（ｆ）を下げて落下防止バー（Ａ）を上に移動させた時の状態を示す。そして図５は、カウンターウエイト（ｆ）を上げて落下防止バー（Ａ）を下に移動させた時の状態を示す。
【００２７】
図６は、本考案の落下防止具の上記した以外の他の実施例を示す。
【００２８】
制御機構（Ｂ）は、制御装置（５）及び制御装置（６）で構成され、両者を組合わせて使用される。
制御装置（５）は、落下防止バー（Ａ）の一端に設置された滑車（ｍ）、物品の落下防止具を構成する骨組みの立設したアングル部材（ｂ）に設置され落下防止バー（Ａ）よりも上方向に設置された滑車（ｃ）、落下防止バー（Ａ）の滑車（ｍ）と反対方向に設置された滑車（ｎ）、アングル部材（ｂ）に対向する立設したアングル部材（ｊ）に設置され落下防止バー（Ａ）よりも上方向になるように設置された滑車（ｐ）、落下防止バー（Ａ）に設置されたワイヤー固定具（ｑ）で構成される。
【００２９】
制御装置（６）は、ワイヤー（ｒ）の一端がワイヤー固定具（ｑ）に固定され、他端が滑車（ｐ）、滑車（ｎ）、滑車（ｍ）及び滑車（ｃ）を通して移動可能なカウンターウエイト（ｆ）に固定される。
【００３０】
アングル部材（ｂ）及び（ｊ）は内部が空洞となった鉄、鋼、ステンレスなどの金属でできた１本以上の四角柱を使用することが好ましい。空洞の四角柱を使用することにより、制御装置（５）及び（６）を内部に隠すことができ意匠性及び安全性の点で優れる。
カウンターウエイト（ｆ）やワイヤー（ｅ）又は（ｒ）が上下又は左右に動かないように、例えば、カウンターウエイト（ｆ）に上下移動用ハンドルを取付けておき、そのハンドルがアングル部材（ｂ）に固定できるように固定具を付けておくことができる（図示なし）。
【００３１】
また、落下防止バー（Ａ）として、四角柱を使用して内部にワイヤーを通すことにより、ワイヤーが隠れるので意匠性及び安全性が向上する。
【００３２】
本考案の落下防止具において、落下防止バーの重さとカウンターウエイトの重さを調整（少ない力で落下防止バーが上下するように調整、例えば、計算又は実測により調整が可能である。）することにより、少ない力で落下防止バーの開閉が行える。
本考案の落下防止付き物品収納設備は、上記した落下防止具を設置してなるものである。
【産業上の利用可能性】
【００３３】
特に、塗料、接着剤、インキ等で使用される原料やその製品等を容器に充填したものを支柱間に棚板を架設してなる物品棚に積載し、使用されるまで収納（格納、貯蔵等）されている物品収納設備に有用である。
【図面の簡単な説明】
【００３４】
【図１】本考案の落下防止具が適用できる四隅に立設された物品収納棚の正面概略図である。
【図２】図１の物品収納棚の前部の２本の支柱間に本考案の落下防止具を設置した正面概略図である。
【図３】図２において、物品収納棚を除いた本考案の落下防止具を示す正面概略一部省略図である。
【図４】制御機構を分かり易くするための正面概略図である。
【図５】図４において、落下防止バーの位置を下方向に移動させた正面概略図である。
【図６】請求項３に記載に１実施例であって、図４と同様に制御機構を分かり易くするための正面概略図である。
【符号の説明】
【００３５】
ア：物品棚
イ：物品
Ｉ：物品収納設備
ＩＩ：落下防止具
Ａ：落下防止バー
Ｂ：制御機構
ａ：滑車
ｂ：アングル部材
ｃ：滑車
ｄ：ワイヤー固定具
ｅ：ワイヤー
ｆ：カウンターウエイト
ｇ：滑車
ｈ：滑車
ｉ：ワイヤー固定具
ｊ：アングル部材
ｋ：ワイヤー固定具
ｌ：ワイヤー
ｍ：滑車
ｎ：滑車
ｐ：滑車
ｑ：ワイヤー固定具
ｒ：ワイヤー
【図１】
0003116901.tif 000003
【図２】
0003116901.tif 000004
【図３】
0003116901.tif 000005
【図４】
0003116901.tif 000006
【図５】
0003116901.tif 000007
【図６】
0003116901.tif 000008